(57)【要約】【課題】  弱い引っ張り力でも、隔壁に注出口を開設できるように開封強度を低減したキャップを提供すること。【解決手段】  容器本体の口部に装着されるキャップ基体と、上蓋とからなるキャップにおいて、キャップ基体は、外筒と、上蓋と係合する係合リングと、注出筒と、注出筒内周に連設される隔壁とを具え、隔壁には、注出口を形成する密栓部が、凹設された切断溝により形成された破断可能な薄肉の弱化部により画成され、隔壁下面の切断溝の外側周縁に沿って補強リブが下方に向けて凸設された厚肉部が形成され、密栓部の上面には、支柱を介して指掛けリングが連設されていることを特徴とする。【選択図】  図１
2014069873.tif 000002
【特許請求の範囲】
【請求項１】
容器本体の口部に装着されるキャップ基体と、上蓋とからなるキャップにおいて、
キャップ基体は、外筒と、上蓋と係合する係合リングと、注出筒と、注出筒内周に連設される隔壁とを具え、
隔壁には、注出口を形成する密栓部が、凹設された切断溝により形成された破断可能な薄肉の弱化部により画成され、隔壁下面の切断溝の外側周縁に沿って補強リブが下方に向けて凸設された厚肉部が形成され、
密栓部の上面には、支柱を介して指掛けリングが連設されていることを特徴とするキャップ。
【請求項２】
密栓部の上面の支柱の下端縁および支柱の反対側端部付近に、他の密栓部上面より僅かに高く凸設された補強突部が形成されていることを特徴とする請求項１記載のキャップ。
【請求項３】
キャップ基体の外筒に、外周から切り込まれた外周切り込み部と、外周切り込み部の片端側に上部薄肉部を隔てた起点から所定円周角の円弧範囲にわたって円周方向に延びるように、所定の深さまで切り込まれたスリット溝が上方から凹設され、
スリット溝の底面の内周側は、外筒と係合リングを連結する破断可能な薄肉連結部となっていることを特徴とする請求項１または２記載のキャップ。
【発明の詳細な説明】
【技術分野】
【０００１】
本発明は、キャップ、とくに注出筒の内方に連設した隔壁に、注出口を開設するキャップに関する。
【背景技術】
【０００２】
従来、内容液を収納した容器本体に装着されるキャップ基体と上蓋とからなるキャップにおいて、キャップ本体の注出筒の内方に隔壁を連設し、容器本体内とキャップ内との間を封鎖し、内容液使用時に、隔壁の一部を引っ張り上げ、隔壁に注出口を開設するようにしたキャップは従来より知られている（例えば、特許文献１参照）。
【先行技術文献】
【特許文献】
【０００３】
【特許文献１】特開２００２−３３７９１８号公報
【発明の概要】
【発明が解決しようとする課題】
【０００４】
しかしながら、上記特許文献１記載のキャップは、隔壁５からプルトップ部１６を摘み部１６ａを介して引っ張り、脆弱部１５を切断し、開口しているが、摘み部１６ａを引っ張っても、摘み部１６ａの連設部付近のプルトップ部１６の広範囲に力が掛かり、その部分付近の脆弱部１５端部を上に引っ張られるだけであるので、脆弱部１５が斜めに引っ張られるだけになってしまい、脆弱部１５を切断するのに大きい力が必要であるという問題があった。
また、抜栓力を小さくするために隔壁５全体を薄肉にすると、脆弱部５付近が変形して引っ張り力が働いて、やはり脆弱部１５を切断するのに大きい力が必要になるという問題があった。
【０００５】
本発明は、上記問題を解決することを課題とし、弱い引っ張り力でも、隔壁に注出口を開設できるように開封強度を低減したキャップを提供することを目的とする。
【課題を解決するための手段】
【０００６】
本発明は、上記の課題を解決するため、キャップとして、容器本体の口部に装着されるキャップ基体と、上蓋とからなるキャップにおいて、キャップ基体は、外筒と、上蓋と係合する係合リングと、注出筒と、注出筒内周に連設される隔壁とを具え、隔壁には、注出口を形成する密栓部が、凹設された切断溝により形成された破断可能な薄肉の弱化部により画成され、隔壁下面の切断溝の外側周縁に沿って補強リブが下方に向けて凸設された厚肉部が形成され、密栓部の上面には、支柱を介して指掛けリングが連設されていることを特徴とする構成を採用する。
【０００７】
隔壁の実施例として、密栓部の上面の支柱の下端縁および支柱の反対側端部付近に、他の密栓部上面より僅かに高く凸設された補強突部が形成されていることを特徴とする構成を採用する。
【０００８】
キャップ基体の実施例として、キャップ基体の外筒に、外周から切り込まれた外周切り込み部と、外周切り込み部の片端側に上部薄肉部を隔てた起点から所定円周角の円弧範囲にわたって円周方向に延びるように、所定の深さまで切り込まれたスリット溝が上方から凹設され、スリット溝の底面の内周側は、外筒と係合リングを連結する破断可能な薄肉連結部となっていることを特徴とする構成を採用する。
【発明の効果】
【０００９】
本発明のキャップは、隔壁に、切断溝の外側周縁に沿って補強リブが下方に向けて凸設された厚肉部が形成されているので、指掛けリングを引っ張った際に、切断溝の周縁の厚肉部は補強リブによって補強されているのに対して、厚肉部に比較して薄肉の密栓部は容易に変形して厚肉部との間に剪断力が働きやすくなり、弱化部が容易に切断されていくので、開封強度が低減され、弱い引っ張り力でも、隔壁に注出口を開設できる。
【図面の簡単な説明】
【００１０】
【図１】本発明のキャップの説明図で、（ａ）は閉蓋時の断面図、（ｂ）は開蓋時の下面図である。
【図２】キャップの説明図で、（ａ）は上面図、（ｂ）は（ａ）の要部拡大図である。
【図３】キャップの分別廃棄時の上面図である。
【発明を実施するための形態】
【００１１】
次に、本発明のキャップについて、実施例を示して、図面を参照して説明する。
【実施例】
【００１２】
図１、２において、Ａは容器本体の口部に装着されるキャップ基体、Ｂはキャップ基体ＡにヒンジＣを介して連設された上蓋である。
【００１３】
キャップ基体Ａは、ヒンジＣにより上蓋Ｂに連設する外筒１と、外筒１の上部内周側に連設し、上蓋Ｂを係合する係止突条２を有する係合リング３と、係合リング３の内周側に上部を連設する内筒４と、内筒４の内周側にリング状底壁５を介して立設された注出筒６と、注出筒６の内縁に連設された隔壁７とを具備している。
係合リング３は、上部に係止突条２を外周方向に突設し、上端は平坦面に形成されている。
【００１４】
注出筒６の内周面には、打栓時にキャップ内の空気を逃がすエアー抜き凹部８が配設されている。
また、外筒１の上端にも、閉蓋時に空気の流通路となるエアー抜き溝９が配設されている。
【００１５】
キャップ基体Ａは、外筒１の内周が容器本体の口部外周と係合するとともに、内筒４の外周が容器本体の口筒内周と係合し、容器本体の口部を挟持するようにして容器に装着されている。
外筒１の内周面には、容器本体の口部の外周に係合する膨出環１０が形成されている。
【００１６】
外筒１のヒンジＣ近傍には、外周面に平面視で略Ｖ字状の外周切り込み部１１と、該外周切り込み部１１に対応する内周面の膨出環１０に内周切り込み部１２とが縦方向に刻設されている。
外筒１の外周切り込み部１１と内周切り込み部１２との間は、縦方向に破断可能な縦方向引き裂きラインとなる縦薄肉部１３となっている。
【００１７】
外筒１の外周切り込み部１１のヒンジＣ側には、上部薄肉部１４を隔てた起点から円周方向に延びるように、所定の深さまで切り込まれたスリット溝１５が上方から凹設されている。
スリット溝１５は、前記起点から一定の範囲で径方向に開口を広げていき、係合リング３の基部から外筒１の上部内周側にかけて一定の開口幅となって、所定円周角の円弧範囲にわたって周方向に延びている。
【００１８】
スリット溝１５の底面の内周側は、外筒１と係合リング３を連結する破断可能な周方向引き裂きラインとなる薄肉連結部１６となっている。
【００１９】
隔壁７には、容器本体内部の内容物を注出するための注出口を形成する密栓部１７が下面から凹設された切断溝１８を介して形成されており、隔壁７と密栓部１７の間は破断可能な弱化部１９となっている。
隔壁７は、密栓部１７が薄肉に形成され、隔壁７下面の切断溝１８の外側周縁には、補強リブ２０が下方に向けて凸設された厚肉部が形成されている。
【００２０】
密栓部１７の上面には、ヒンジＣ側に、支柱２１を介して密栓部１７を引き上げて開封する指掛けリング２２が連設されており、ヒンジＣの反対側の端部付近および支柱２１の下端縁には、他の密栓部１７上面より僅かに高く凸設された補強突部２３ａ、２３ｂが形成されている。
【００２１】
指掛けリング２２のヒンジＣの反対側の下部には、指先への接圧をやわらかくするための緩衝片２４が形成されている。
【００２２】
上蓋Ｂは、頂壁３０と、頂壁３０外縁に垂設される側周壁３１と、頂壁３０の裏面に垂設され、閉蓋時に外周がキャップ基体Ａの注出筒６の内周と密嵌する密封筒３２が設けられている。
頂壁３０の裏面には、密封筒３２よりも内周側に下面から環状溝が設けられ、内圧吸収薄肉部３３が形成されている。
【００２３】
側周壁３１には、内周下部に、閉蓋時にキャップ基体Ａの係止突条２および係止リング３の外周と上端平面部と係合し、閉蓋状態を維持する環状係合部３４が設けられ、外周の所定位置にヒンジＣが連設されている。
側周壁３１のヒンジＣの反対側の外周には、下端部に、つまみ３５が突設され、つまみ３５の上方には、所定範囲に肉抜き凹部３６が凹設されている。
【００２４】
環状係合部３４は、側周嵌合部３４ａと係合天面３４ｂとからなり、係合天面３４ｂには、打栓時にキャップ内の空気を逃がすためのエアー抜き溝３７が設けられている。
【００２５】
次に、本実施例の使用態様と作用効果について説明する。
本発明のキャップは、内容液を容器本体内に充填した後、閉蓋状態で上方から打栓し、容器本体に装着する。
【００２６】
打栓時に上蓋Ｂの上方から押圧力が加えられると、キャップ本体Ａに対して上蓋Ｂが僅かに下降することにより、上蓋Ｂの密封筒３２の外周下端がキャップ本体Ａの注出筒６に凹設したエアー抜き凹部８に対応する位置に下降し、エアー抜き凹部８を介して、密封筒３２と注出筒６との内方に密封された空気が外方に排出される。
【００２７】
また、上蓋Ｂの側周壁３１が下降し、環状係合部３４の係合天面３４ｂがキャップ本体Ａの係合リング３の上端平面部に押圧されることにより、側周壁３１の肉抜き凹部３６が変形し、肉抜き凹部３６付近の側周壁３１の下部を外側に向けさせ、該下部付近の側周嵌合部３４ａと係合リング３の外側との間に間隙を形成させる。
該間隙および係合天面３４ｂに設けたエアー抜き溝３７とキャップ本体Ａの外筒１の上端に設けたエアー抜き溝９を介して、側周壁３１の内方に密封された空気がキャップ外に排出される。
【００２８】
打栓後、上蓋Ｂの上方から押圧力が外れると、上蓋Ｂがすぐに復元し、密封筒３２外周下端部と注出筒６内周とが係合して密封されるとともに、側周嵌合部３４ａと係合リング３の外側とが係合して密封されることにより、キャップ内の空気が僅かに負圧になる。
【００２９】
キャップ内の空気が僅かに負圧になることにより、打栓後、滅菌または洗浄のためにキャップの上方から温水シャワーを掛けた際に、キャップ内の空気が暖められて内圧が高められたとしても、負圧の分、余裕ができ、キャップ内の空気の膨張により上蓋が開蓋してしまうことを防止することができる。
また、上蓋Ｂには、頂壁３０に環状の内圧吸収薄肉部３３が設けられているので、キャップの密封筒３２より内方の空気の内圧がさらに高まったとしても、内圧吸収薄肉部３３によって頂壁３０の中央部が膨らむように変形して内圧の上昇を抑制するので、上蓋の不用意な開蓋を確実に防止することができる。
【００３０】
上蓋Ｂを開蓋する際は、上蓋Ｂのつまみ３５を持ち上げると、まず側周壁３１の肉抜き凹部３６が変形し、肉抜き凹部３６付近の側周壁３１の下部が外側に向けられるので、その部分から環状係合部３４とキャップ基体Ａの係合リング３の外側との係合が外されていき、簡単に開蓋することができる。
【００３１】
内容液を使用する際には、まず、上蓋Ｂを開蓋した後、キャップ基体Ａの隔壁７の指掛けリング２２に指を掛けて上方に引っ張り上げ、弱化部１９を切断することにより、密栓部１７を除去して、隔壁７に注出口を開設する。
【００３２】
指掛けリング２２を引っ張り上げた際に、支柱側２１付近の密栓部１７に力が加わって薄肉の密栓部１７は変形するが、隔壁７の弱化部１９の周りの下面に補強リブ２０を設けた厚肉部が形成されていることにより厚肉部は変形しないため、弱化部１９には大きな剪断力が働いて引っ張り力は働きにくいため、弱い力で弱化部１９を切断することができ、従来のものに比べ、開封強度を低減させることができる。
【００３３】
さらに、密栓部１７の支柱２１との連結部周辺とその反対側の上面に補強突部２３が設けられており、密栓部１７のその部分が厚肉に形成され、変形が阻害されるので、指掛けリング２２を引っ張って抜栓する際の初期と最後で、補強リブ２０の効果と合わせて、より開封強度を低減させることができる。
【００３４】
次に、実験結果として、従来のものと本発明の実施例による抜栓力の比較を示す。
【表１】
2014069873.tif 000003
表１からも解るとおり、本発明の実施例では、弱化部の肉厚が従来のものとあまり変わらないが、補強リブ２０を設けることで密栓部１７の肉厚をも薄くすることができ、弱化部の抜栓力を小さくすることができた。
【００３５】
容器を使用後、本発明のキャップを分別廃棄する態様について説明する。
まず、本発明のキャップを開蓋して上蓋Ｂを把持し外方に引っ張ると、キャップ基体Ａの外筒１のヒンジＣとの連設部位が引っ張られて変形し、上部薄肉部１４が引き裂かれて、外筒１の上端からスリット溝１５の底部の位置まで破断される。
【００３６】
その後、さらに上蓋Ｂを引っ張ると、図３に示すように、縦薄肉部１３が引き裂かれるとともに、スリット溝１５の薄肉連結部１６が上部薄肉１４側から引き裂かれ、外筒１のスリット溝１５の外側および下側が離されていく。
【００３７】
外筒１の薄肉連結部１６が切断され、外筒１のスリット溝１５の外側および下側が離されていくことにより、容器本体の口部外周に係合している外筒１の内周および膨出環１０との係合が外されていく。
さらに、上蓋Ｂまたは切り離された外筒１を上に引っ張ると、容器本体の口部からキャップ基体Ａを簡単に外すことができ、キャップと容器本体を分別廃棄することができる。
【００３８】
上記実施例では、キャップ基体Ａの外筒１に、上面からスリット溝１５が凹設され、外筒１の外周に外周切り込み部１１を凹設することにより、容器を使用後、容器本体とキャップを簡単に分別廃棄できるようにしているが、分別廃棄の構成はどのような構成でもよく、また、分別廃棄の構成自体をなくしてもよい。
したがって、キャップ基体の外筒の構成は、上記実施例の形態に限定されない。
【００３９】
上記実施例では、キャップ基体Ａと上蓋ＢとをヒンジＣを介して連設したヒンジキャップとしているが、キャップ基体Ａに上蓋Ｂを開閉自在に装着できればヒンジはなくてもよく、また、上蓋とキャップ基体にそれぞれ螺合するねじ部を設け、ねじ嵌合により開閉する構成でもよく、上蓋とキャップ基体の装着方法の構成は、上記実施例の形態に限定されない。
【産業上の利用可能性】
【００４０】
本発明のキャップは、キャップ基体の隔壁に注出口を形成する弱化部の周縁に補強リブを形成したので、隔壁から密栓部を切り離していく際に、より小さい力で切り離すことができるから、力の弱いお年寄りや子供など、幅広い年齢層の消費者が安心して使用できるキャップとして広く利用可能である。
【符号の説明】
【００４１】
Ａ          キャップ基体
Ｂ          上蓋
Ｃ          ヒンジ
１          外筒
２          係止突条
３          係合リング
４          内筒
５          リング状底壁
６          注出筒
７          隔壁
８          エアー抜き凹部
９、３７    エアー抜き溝
１０        膨出環
１１        外周切り込み部
１２        内周切り込み部
１３        縦薄肉部
１４        上部薄肉部
１５        スリット溝
１６        薄肉連結部
１７        密栓部
１８        切断溝
１９        弱化部
２０        補強リブ
２１        支柱
２２        指掛けリング
２３        補強突部
２４        緩衝片
３０        頂壁
３１        側周壁
３２        密封筒
３３        内圧吸収薄肉部
３４        環状係合部
３４ａ      側周係合部
３４ｂ      係合天面
３５        つまみ
３６        肉抜き凹部
【図１】
2014069873.tif 000004
【図２】
2014069873.tif 000005
【図３】
2014069873.tif 000006